(57)【特許請求の範囲】
【請求項１】
ファクス専用受信モード、手動受信モード、ＦＡＸ／ＴＥＬ自動切替受信モードのいずれかを共通な受信モードとして設定がなされ、通信回線から送出される発信電話番号を受信可能なファクシミリ装置において、
ワンタッチダイヤルまたは短縮ダイヤルのテーブルを利用し、相手先装置に対する相手先電話番号および前記受信モードを識別する受信動作識別子を含む相手先属性を登録する相手先情報テーブルと、
前記相手先情報テーブルに登録してある相手先電話番号と受信した発信電話番号との照合を行う発信電話番号照合手段と、
前記発信電話番号照合手段において照合一致した場合に、
（１）該当する相手先の前記相手先情報テーブル中の受信動作識別子がＦＡＸのときには、前記ファクシミリ通信装置の受信モードをファクス専用受信モードに自動的に切り替え、
（２）該当する相手先の前記相手先情報テーブル中の受信動作識別子がＴＥＬのときには、前記ファクシミリ通信装置の受信モードを手動受信モードに自動的に切り替え、
（３）該当する相手先の前記相手先情報テーブル中の受信動作識別子がＦＡＸ＋ＴＥＬのときには、前記ファクシミリ通信装置の受信モードを現在の共通な受信モードのままとする、
受信モード対応自動切替手段と、
を具備することを特徴とするファクシミリ装置。
【請求項２】
前記ファクシミリ装置の共通な受信モードとして留守受信モードが設定されている時において、
前記発信電話番号照合手段において照合一致した場合は、相手先がファクシミリ装置以外の場合でも、受信した発信電話番号、該発信電話番号に対する前記相手先情報テーブルに格納された相手先名称を履歴情報として記憶する履歴情報記憶手段と、
該履歴情報をリスト化して出力する履歴情報出力手段と
を具備することを特徴とする請求項１記載のファクシミリ装置。
【発明の詳細な説明】
【０００１】
【発明の属する技術分野】
本発明は、通信回線から送出される発信電話番号を受信する通信装置において、該発信電話番号を用いて自動的に動作する通信装置に関するものである。
【０００２】
【従来の技術】
従来、ファクシミリ装置では、電話回線からＴＳＩ（ＴＲＡＮＳＭＩＴＴＩＮＧ  ＳＵＢＳＣＲＩＢＥＲ  ＩＤＥＮＴＩＦＩＣＡＴＩＯＮ）またはＣＩＧ（ＣＡＬＬＩＮＧ  ＳＵＢＳＣＲＩＢＥＲ  ＩＤＥＮＴＩＦＩＣＡＴＩＯＮ）情報を受信し、ディスプレイ画面等への相手先表示、または、通信管理レポート等への相手先印字を行っていた。
【０００３】
【発明が解決しようとする課題】
しかしながら上記従来のファクシミリ装置の該相手先情報は、送信側のファクシミリ装置において電話番号を登録することで、その情報がＴＳＩまたはＣＩＧとして送出されており、送信側において登録に誤操作があれば受信側のファクシミリ装置では、間違った相手先情報を受信することになっていた。
【０００４】
また、ファクシミリ装置の受信モード（ファクス専用，手動受信，Ｆ／Ｔ自動切替，留守受信等）は時間帯別による受信モード自動切替以外は自動的に受信モードを切り替えることはできないため、相手先（送信側）が電話で、受信側がファクス専用の場合や、相手先（送信側）がファクシミリで、受信側が手動受信の場合には、操作者が介在しない限り通信を正常に終了できないという欠点がある。
【０００５】
さらに、従来のファクシミリ装置において、相手先が電話の場合、このような相手先を示す情報は全く送られてこないため、電話を着信しても履歴等の情報が残らないという欠点があった。
【０００６】
本発明の目的は、電話回線から送出される発信電話番号を受信できるファクシミリ装置において、受信モードの自動切替を行うことによる通信動作を円滑にし、並びに、電話やファクシミリ等の通信ログ管理を向上させることにある。
【０００７】
【課題を解決するための手段】
上記目的を達成するための本発明による第１の発明のファクシミリ装置は、
ファクス専用受信モード、手動受信モード、ＦＡＸ／ＴＥＬ自動切替受信モードのいずれかを共通な受信モードとして設定がなされ、通信回線から送出される発信電話番号を受信可能なファクシミリ装置において、
ワンタッチダイヤルまたは短縮ダイヤルのテーブルを利用し、相手先装置に対する相手先電話番号および前記受信モードを識別する受信動作識別子を含む相手先属性を登録する相手先情報テーブルと、
前記相手先情報テーブルに登録してある相手先電話番号と受信した発信電話番号との照合を行う発信電話番号照合手段と、
前記発信電話番号照合手段において照合一致した場合に、
（１）該当する相手先の前記相手先情報テーブル中の受信動作識別子がＦＡＸのときには、前記ファクシミリ通信装置の受信モードをファクス専用受信モードに自動的に切り替え、
（２）該当する相手先の前記相手先情報テーブル中の受信動作識別子がＴＥＬのときには、前記ファクシミリ通信装置の受信モードを手動受信モードに自動的に切り替え、
（３）該当する相手先の前記相手先情報テーブル中の受信動作識別子がＦＡＸ＋ＴＥＬのときには、前記ファクシミリ通信装置の受信モードを現在の共通な受信モードのままとする、
受信モード対応自動切替手段と、を具備することを特徴とするものである。
【０００８】
また、本発明による第２の発明のファクシミリ装置は、第１の発明の構成であって、前記ファクシミリ装置の共通な受信モードとして留守受信モードが設定されている時において、前記発信電話番号照合手段において照合一致した場合は、相手先がファクシミリ装置以外の場合でも、受信した発信電話番号、該発信電話番号に対する前記相手先情報テーブルに格納された相手先名称を履歴情報として記憶する履歴情報記憶手段と、該履歴情報をリスト化して出力する履歴情報出力手段とを具備することを特徴とするものである。
【０００９】
本発明と従来の技術との差異は、従来のファクシミリ装置が、相手先装置からのＴＳＩまたはＣＩＧ情報を受信するのに対し、本発明は、電話回線から送出される発信電話番号をＴＳＩまたはＣＩＧ情報よりも優先して番号照合等の処理を行うことで、自動的に相手先の通信装置に合わせて受信動作する機能を可能とし、かつ、電話等を着信しても通信ログとして記録することを最も主要な特徴としている点にある。
【００１０】
本発明による第１の発明の通信装置では、発信電話番号照合手段により、相手先情報テーブルに登録してある相手先電話番号と、通信回線から受信した相手先の発信電話番号との照合を行う。照合が一致した場合は、受信モード対応自動切替手段により、相手先情報テーブル中の受信動作識別子に応じて、通信装置の受信モードを自動的に切り替えることで、通信動作の高速化を実現する。
【００１１】
また、本発明による第２の発明の通信装置では、留守受信モード時において、該当する相手先の相手先情報テーブル中の受信動作識別子に依らず、履歴情報記憶手段により、受信した発信電話番号の履歴情報を記憶し、履歴情報出力手段により、該履歴情報をリスト化して出力する。これによって、相手先情報が例えば、ファクシミリ装置以外の場合でも受信した発信電話番号の履歴情報を受信装置が記憶し、操作者に対してどのような着信があったを知らせる。
【００１２】
【発明の実施の形態】
以下、本発明の実施形態例を図面を用いて具体的に説明する。
【００１３】
以下に説明する実施形態例Ｎｏ．１〜Ｎｏ．４では、通信回線に発信電話番号通知対応の電話回線２０を、通信装置にファクシミリ装置３０を適用した場合を説明する。
【００１４】
（実施形態例Ｎｏ．１）  手動受信モード時にファクス受信した場合の本発明の受信動作の実施形態例
図１に本実施形態例Ｎｏ．１の概要を示す。
【００１５】
本発明を適用したファクシミリ装置３０は、登録テーブル３１と、発信者電話番号受信部３２と、発信電話番号照合手段３３と、受信モード対応自動切替手段３４とから構成されている。
【００１６】
相手先情報テーブルである登録テーブル３１は、相手先の装置の相手先属性を登録するものであり、ワンタッチダイヤルまたは短縮ダイヤルのテーブルを利用する。ワンタッチダイヤルまたは短縮ダイヤルには、通常、相手先電話番号に加えて相手先名称等を登録する。本発明に使うワンタッチダイヤルまたは短縮ダイヤルの登録テーブルには登録ナンバ３１４に対応して、相手先の電話番号３１３、相手先名称３１２に加えて「受信動作識別子３１１」を登録する必要がある。受信動作識別子３１１は例えば、ＦＡＸ，ＴＥＬ，ＦＡＸ＋ＴＥＬの３種類あり、「ＦＡＸ」は現在の受信モード（留守受信を除く）に依存せずファクス専用受信モードに切り替わり、「ＴＥＬ」とは現在の受信モード（留守受信を除く）に依存せず、手動受信モード（電話で受ける）に切り替わり、「ＦＡＸ＋ＴＥＬ」とは特に相手先からの通信を、現在の受信モードで受信動作する識別子である。
【００１７】
発信者電話番号受信部３２は、電話回線２０を介して送信されたファクシミリ装置１０の発信電話番号２１を受信して、正常に受信ができたかどうかの判定を行う。
【００１８】
発信電話番号照合手段３３は、前記発信者電話番号受信部３２で正常に受信した発信電話番号２１に基づいて、前記登録テーブル３１を参照して、受信した発信電話番号２１に一致する電話番号３１３を探す。
【００１９】
受信モード対応自動切替手段３４は、ファクシミリ装置３０の発信電話番号２１を受信した時点の受信モードと、前記受信した発信電話番号２１に対応する受信動作識別子３１１に応じてファクシミリ装置３０の受信モードを自動的に切り替える。
【００２０】
通常、受信装置が手動受信モードの場合、一度、ファクシミリ装置３０の外付電話機である電話機３０１をオンフックした後に、ファクシミリ装置３０をファクス動作へ切り替えて送信装置であるファクシミリ装置１０からのファクス文書を受信しなければならない。
【００２１】
本実施形態例Ｎｏ．１では、手動受信時においても、発信電話番号照合手段３３により、受信した発信電話番号２１と予め登録してある登録テーブル３１の電話番号３１３との照合を行い、照合の結果により、受信モード対応自動切替手段３４が、ファクス専用受信モードに自動的に切り替えてファクス文書を受信する。
【００２２】
図１を用いて実施形態例Ｎｏ．１の動作を説明する。
【００２３】
送信装置であるファクシミリ装置１０からファクス文書を、電話回線２０を介して送信した場合、まず、受信装置であるファクシミリ装置３０では、発信電話番号２１（図例では、１１１１１１１１１１）が正常に受信できたかどうかの判別を、発信者電話番号受信部３２で行う。
【００２４】
デコードエラー等により発信電話番号２１を正常に受信できなかった場合は、発信電話番号照合手段３３による、照合は行わず、直ちに通常のファクシミリ動作（手動受信モード）に移行する（ステップ３５）。
【００２５】
発信電話番号２１が正常であることを確認するための処理が終わると、次に、ファクシミリ装置３０に予め登録してある登録テーブル３１と発信電話番号２１との照合を、発信電話番号照合手段３３を用いて行う。この登録テーブル３１を用いた発信電話番号２１の照合処理を図２に示す。
【００２６】
図２を用いて発信電話番号２１と、登録テーブル３１の電話番号３１３との照合処理を説明する。
【００２７】
発信電話番号２１と登録テーブル３１の電話番号３１３との照合には、前処理が必要であり、スペース、ハイフン、ポーズ等のダイヤル以外の桁（ポーズは、外線への０発信時によく使い、スペースまたはハイフンは登録ダイヤル並びの見栄えをよくするためにつける場合がある）を照合対象外とする。
【００２８】
本実施形態例Ｎｏ．１での番号照合は、ワンタッチテーブルの若い番号（登録テーブル３１の登録ナンバ３１４の若い番号）から逐次照合処理をする。ステップ３３１、ステップ３３２で参照するワンタッチダイヤルまたは短縮ダイヤルのテーブル（登録テーブル３１の登録ナンバ３１４の番号）を確定する。
【００２９】
ステップ３３３でスペースを対象外とし、ステップ３３４でハイフンを対象外とし、ステップ３３５でポーズ等を対象外とし、かつ、ステップ３３７で下５桁にて番号照合を行う。
【００３０】
ステップ３３８で照合が一致すればステップ３４で受信動作識別子３１１を参照する。必要であれば、相手先名称３１２並びに受信動作識別子３１１を参照する。ステップ３３８で照合が一致しなければ、ステップ３３９で、登録ナンバ３１４を更新し、次の登録相手先欄（更新した番号の登録ナンバ３１４に対応する欄）との番号照合を開始する。
【００３１】
番号照合処理の後、この実施形態例Ｎｏ．１では即座に、受信モード対応自動切替手段３４により、アウトバンド的（送信側と受信側の回線がつながっていない状態で、受信側で送信側の発信電話番号を受け取り、受信側が発信電話番号に対応した状態に自動的に切り替わる。）に「ファクス専用受信モード」に自動的に切り替わり、送信されたファクスを受信する動作を行う。
【００３２】
以降の動作は通常のファクス受信とほぼ同じであるが、登録テーブル３１の照合の結果、得られた相手先名称３１２を用いて、通信中はディスプレイに相手先名称３１２を表示したり、通信レポート等に通信ログを相手先電話番号３１３と一緒に相手先名称３１２も印字するなどの処理を行うことも可能である。
【００３３】
尚、受信動作が終了次第、手動受信（元の受信モード）に自動復帰する。
【００３４】
（実施形態例Ｎｏ．２）  ファクス専用モード時に相手先から電話を受けた場合の本発明の受信動作の実施形態例
図３に本実施形態例Ｎｏ．２の概要を示す。
【００３５】
通常、受信装置がファクス専用モードの場合、相手先の電話機１１からの電話発呼時、受信装置であるファクシミリ装置３０が着信後直ちにファクス受信動作に移行するため、電話を受けることはできない。
【００３６】
本実施形態例Ｎｏ．２では、ファクス専用モード時においても、発信電話番号照合手段３３により、受信した発信電話番号２１と予め登録してある登録テーブル３１の電話番号３１３との照合を行い、照合の結果により、受信モード対応自動切替手段３４が、手動受信モードに自動的に切り替えて電話を受け付ける。
【００３７】
図３を用いて実施形態例Ｎｏ．２の動作を説明する。
【００３８】
送信装置である電話機１１から電話した場合、まず、実施形態例Ｎｏ．１と同様に受信装置であるファクシミリ装置３０では発信電話番号２１（図例では、２２２２２２２２２２）が正常に受信できたかどうかの判別を、発信者電話番号受信部３２で行う。
【００３９】
デコードエラー等により発信電話番号２１を正常に受信できなかった場合は、発信電話番号照合手段３３による、照合は行わず、ファクシミリ動作にて応答をする（ステップ３５）。
【００４０】
次に、実施形態例Ｎｏ．１と同様に、ファクシミリ装置３０に予め登録してある登録テーブル３１と発信電話番号２１との照合を発信電話番号照合手段３３を用いて行う。該当する相手先がある場合は、受信モード対応自動切替手段３４により、登録テーブル３１に登録されている受信動作識別子３１１にて受信モードを切り替える。
【００４１】
つまり、本実施形態例Ｎｏ．２では、電話機１１にてダイヤルした時、発信電話番号照合手段３３の番号照合結果により、アウトバンド的に手動受信モード（電話モード）に切り替わり、受信側のファクシミリ装置３０では、電話呼出する仕組みになっている。
【００４２】
尚、通信終了時は、ファクス専用受信モード（元の受信モード）に自動復帰する。
【００４３】
（実施形態例Ｎｏ．３）  ＦＡＸ／ＴＥＬ受信モード時にファクス受信した場合の本発明の受信動作の実施形態例
図４に本実施形態例の概要を示す。
【００４４】
通常、受信装置がＦＡＸ／ＴＥＬ受信モード（ＦＡＸ／ＴＥＬ自動切り替えモード）の場合、相手先ファクシミリ装置１０からのファクス送信を着信した時、電話機３０１が応答し、音声応答等のメッセージが流れるなどして即座にファクシミリ装置３０のファクシミリ受信動作に移行することはできない。
【００４５】
本実施形態例Ｎｏ．３では、ＦＡＸ／ＴＥＬ受信モード時においても、発信電話番号照合手段３３により、受信した発信電話番号２１と予め登録してある登録テーブル３１との照合を行い、照合の結果により、受信モード対応自動切替手段３４が、ファクス専用受信モードに自動切り替えてファクスを受信する。
【００４６】
図４を用いて実施形態例Ｎｏ．３の動作を説明する。
【００４７】
相手先であるファクシミリ装置１０からファクシミリを受信した場合、実施形態例Ｎｏ．１、実施形態例Ｎｏ．２と同様にアウトバンド的にＦＡＸ／ＴＥＬ受信モードからファクス専用受信モードに自動的に切り替わり、受信側では、円滑にファクス文書を受信する仕組みになっている。
【００４８】
尚、通信が終了次第、元の受信モード（ＦＡＸ／ＴＥＬ自動受信）に自動復帰する。
【００４９】
（実施形態例Ｎｏ．４）  着信累積機能を具備するファクシミリ装置が、留守受信モード時に電話またはファクスを受信した場合の本発明の受信動作の実施形態例
図５、図６に本実施形態例Ｎｏ．４の概要を示す。
【００５０】
図５、図６が示すように本実施形態例Ｎｏ．４の構成は、実施形態例Ｎｏ．１〜実施形態例Ｎｏ．３の構成に加えて、着信累積テーブル３６と、着信累積リスト３７と、履歴情報出力手段３９を有する。
【００５１】
履歴情報記憶手段である着信累積テーブル３６は、ファクシミリ装置３０で受信した全ての発信電話番号２１を電話番号３６４として、かつ、着信した日付時刻を着信日時３６２に格納する。また、登録テーブル３１に対応する発信電話番号２１ならば、相手先名称３６３も格納する。通信内容３６１には、着信した通信機器の種別（例えば、ＦＡＸ，ＴＥＬ）を格納する。尚、相手先装置が電話機１１の場合、留守番電話の有り／無しも監視することが可能であり、通信内容３６１にはその旨を記載する機能も具備している。
【００５２】
本実施形態例Ｎｏ．４では、受信側のファクシミリ装置３０が留守受信モード（留守番電話３０２接続モードまたは留守応答モード）にて発信電話番号２１（図例では、３３３３３３３３３３）を受信した場合、相手先装置が電話機、ファクシミリ装置に限らず、着信した時系列の順番に通信ログを記憶し、自動的、または手動的に、その該当する履歴情報を出力する。発信電話番号２１の受信後は、前の実施形態例Ｎｏ．１〜Ｎｏ．３と同様に登録テーブル３１と参照を行う。
【００５３】
但し、先の実施形態例Ｎｏ．１〜Ｎｏ．３と異なるのは、照合の結果得られた受信動作識別子３１１を用いず、あくまで留守受信のままに動作を固定する。
【００５４】
また、留守受信モードの間、電話、ファクシミリの着信があった場合、登録テーブル３１の照合の結果にて得られた相手先名称３１２とともに、履歴情報記憶手段である着信累積テーブル３６により、通信ログを記憶する。
【００５５】
次に、図６を用いて、留守受信モード解除時の動作について説明する。
【００５６】
留守受信解除後は、直ちに、着信を累積した着信累積テーブル３６を元に、履歴情報出力手段３９が着信累積リスト３７を作成し、プリント出力する仕組みになっている。
【００５７】
この場合、手動操作等により留守受信を解除し、着信累積リスト３７をリスト出力する形式になっているが、通信ログの上限を設定することで、自動的に着信累積リスト３７を出力することも可能である。
【００５８】
以上、実施形態例Ｎｏ．１〜実施形態例Ｎｏ．３に代表される受信自動切替動作、および、実施形態例Ｎｏ．４に代表される留守受信モード時の動作を、ファクシミリ装置３０が発信電話番号２１を受信した時点の受信モード毎に、図７にまとめて規定しており、他の組み合わせにおいてもアウトバンド的に受信動作を行う機能を具備している。
【００５９】
以上説明したように、発信電話番号２１を受信した場合、該番号と登録してある相手先テーブル３１の電話番号３１３とを照合することにより、アウトバンド的に受信動作を切り替えて通信動作の高速化を実現することが可能となるとともに、相手先情報がファクシミリ装置以外の場合でもファクシミリ装置３０が受信した発信電話番号２１の履歴情報を記憶することで、操作者に対してどのような着信があったを知らせることができるという効果がある。
【００６０】
【発明の効果】
以上詳述したように、本発明によれば、発信電話番号を受信した場合、相手先テーブルとを照合することにより、アウトバンド的に受信動作を切り替えて、通信動作の高速化を実現できるという効果が得られる。
【００６１】
また、相手先情報がいかなる通信装置の場合でも受信した発信電話番号の履歴情報を受信装置が記憶することで、操作者に対してどのような着信があったを知らせることができるという効果が得られる。
【図面の簡単な説明】
【図１】本発明の実施形態例Ｎｏ．１を示す図であって、受信側のファクシミリ装置が手動受信モード時に、相手先からファクスを受ける場合の受信動作を説明する図である。
【図２】本発明の実施形態例Ｎｏ．１を示す図であって、受信した発信電話番号と登録テーブルとの番号照合処理を説明する図である。
【図３】本発明の実施形態例Ｎｏ．２を示す図であって、受信側のファクシミリ装置がファクス専用受信モード時に、相手先から電話を受ける場合の受信動作を説明する図である。
【図４】本発明の実施形態例Ｎｏ．３を示す図であって、受信側のファクシミリ装置がＦＡＸ／ＴＥＬ自動切替受信モード時に、相手先からファクスを受ける場合の受信動作を説明する図である。
【図５】本発明の実施形態例Ｎｏ．４を示す図であって、受信側のファクシミリ装置が留守受信モード時に、相手先から電話またはファクスを受ける場合の受信動作を説明する図である。
【図６】本発明の実施形態例Ｎｏ．４を示す図であって、留守受信解除時の着信累積リスト出力を説明する図である。
【図７】本発明の実施形態例Ｎｏ．１〜Ｎｏ．４を示す図であって、ファクシミリ装置の受信モードに対応した受信モード自動識別を示す図である。
【符号の説明】
１０…ファクシミリ装置
２０…電話回線
２１…発信電話番号
３０…ファクシミリ装置
３１…登録テーブル
３３…発信電話番号照合手段
３４…受信モード対応自動切替手段
３６…履歴情報記憶手段
３９…履歴情報出力手段
【図１】
0003860627.tif 000002
【図２】
0003860627.tif 000003
【図３】
0003860627.tif 000004
【図４】
0003860627.tif 000005
【図５】
0003860627.tif 000006
【図６】
0003860627.tif 000007
【図７】
0003860627.tif 000008